(57)【要約】【課題】エアコンの室外機を、排気を遮ることなくカバーする室外機カバーを提供する。【解決手段】室外機カバー１は、室外機１０の前面をカバーし、室外機１０の排気口１０ａに対向する領域に複数の孔部が設けられた第１面材２ａ、室外機１０の天面をカバーする第２面材２ｂ、室外機１０の２つの側面をそれぞれカバーする２つの第３面材２ｃ、及び第１〜第３面材２ａ〜２ｃを支持する骨材３から構成される。第１面材２ａにより室外機１０の前面をカバーすることで、室外機１０からの排気が第１面材２ａに設けられた複数の孔部を介して排出されるため、室外機カバー１を用いることで排気を遮ることなく室外機１０をカバーすることができる。【選択図】図１
0003195323.tif 000002
【実用新案登録請求の範囲】
【請求項１】
エアコンの室外機をカバーする室外機カバーであって、
室外機の前面をカバーし、前記室外機の排気口の少なくとも一部に対向する対向領域に複数の孔部が設けられた第１面材と、
前記室外機の天面をカバーする第２面材と、
前記室外機の２つの側面をそれぞれカバーする２つの第３面材と、
前記第１〜第３面材を支持する骨材と、
を備えることを特徴とする、室外機カバー。
【請求項２】
前記第１面材の少なくとも前記対向領域は、ビニル製の紐部材を編んで形成されることを特徴とする、請求項１に記載の室外機カバー。
【請求項３】
前記紐部材は、高密度ポリエチレンから成形されることを特徴とする、請求項２に記載の室外機カバー。
【請求項４】
前記第１面材は、前記対向領域に前記第１面材の幅方向及び高さ方向の少なくとも一方の方向に引張力を加えて、前記骨材に支持されることを特徴とする、請求項２又は３に記載の室外機カバー。
【請求項５】
前記第１〜第３面材は、前記紐部材を編んで形成されることを特徴とする、請求項２〜４のいずれか一項に記載の室外機カバー。
【請求項６】
前記第２面材は、前記紐部材を密に編んで形成されることを特徴とする、請求項５に記載の室外機カバー。
【請求項７】
前記骨材は、アルミ製のパイプであることを特徴とする、請求項１〜６のいずれか一項に記載の室外機カバー。
【請求項８】
前記パイプの少なくとも一部に重量部材が充填されることを特徴とする、請求項７に記載の室外機カバー。
【請求項９】
前記骨材は、前記第２面材に近接して平行に配設される載置部材をさらに含むことを特徴とする、請求項１〜８のいずれか一項に記載の室外機カバー。
【請求項１０】
前記２つの第３面材の少なくとも一方は、下方に空間を設けて前記骨材に支持されることを特徴とする、請求項１〜９のいずれか一項に記載の室外機カバー。
【請求項１１】
前記骨材の奥行は、前記室外機の奥行きより長いことを特徴とする、請求項１〜１０のいずれか一項に記載の室外機カバー。
【考案の詳細な説明】
【技術分野】
【０００１】
本考案は、エアコンの室外機をカバーする室外機カバーに関する。
【背景技術】
【０００２】
エアコン室外機（単に室外機と呼ぶ）を直射日光から保護することで、室外機の熱交換効率を向上する技術が提案されている。例えば、特許文献１には、室外機全体をカバーする保護カバーであり、室外機の排気面を覆う部分に多数の通風孔が設けられ、室外機の上面及び両側面を覆う部分は日光を反射する素材を用いて形成され、使用時であっても取り外す必要のないカバーが開示されている。また、特許文献２には、室外機の上面に保持枠体を設置し、その保持枠体を利用して室外機の上方を傾斜状態で覆うシート状屋根部材が開示されている。いずれの技術も、室外機を日光から保護するとともに、設置した状態のまま室外機を使用することができる。
【０００３】
近年では、庭先、ベランダ、バルコニー等にガーデンテーブル、ガーデンチェア等を設置して室外をデザインする空間デザインが広まっている。しかし、室外に設置される室外機は、通常、空間デザインに調和しない。そこで、空間デザインに調和するとともに、簡易に設置できる室外機カバーが求められている。
【先行技術文献】
【特許文献】
【０００４】
【特許文献１】特開２０１４−０５９１３２号公報
【特許文献２】実用新案登録３１７８４０１号公報
【考案の概要】
【考案が解決しようとする課題】
【０００５】
本考案は、エアコンの室外機を、排気を遮ることなくカバーする室外機カバーを提供することを課題とする。
【課題を解決するための手段】
【０００６】
本考案は、エアコンの室外機をカバーする室外機カバーであって、室外機の前面をカバーし、室外機の排気口の少なくとも一部に対向する対向領域に複数の孔部が設けられた第１面材と、室外機の天面をカバーする第２面材と、室外機の２つの側面をそれぞれカバーする２つの第３面材と、第１〜第３面材を支持する骨材と、を備えることを特徴とする、室外機カバーである。
【０００７】
これによれば、第１面材により室外機の前面をカバーすることで、室外機からの排気が室外機の排気口の少なくとも一部に対向する領域に設けられた複数の孔部を介して排出されるため、排気をあまり遮ることなく室外機をカバーすることができる。
【０００８】
本考案は、第１面材の少なくとも対向領域は、ビニル製の紐部材を編んで形成されることを特徴とする。
【０００９】
これによれば、第１面材の少なくとも対向領域をビニル製の紐部材を編んで形成することで、日光熱、排気熱により拡がる複数の孔部を設けることができる。また、空間デザインに調和した室外機カバーとなる。
【００１０】
本考案は、紐部材は、高密度ポリエチレンから成形されることを特徴とする。
【００１１】
これによれば、対向領域の十分な強度を得ることができる。
【００１２】
本考案は、第１面材は、対向領域に第１面材の幅方向及び高さ方向の少なくとも一方の方向に引張力を加えて、骨材に支持されることを特徴とする。
【００１３】
これによれば、排気熱により対向領域を形成する第１面材が伸張し、複数の孔部が広がることで、排気が確保される。
【００１４】
本考案は、第１〜第３面材は、紐部材を編んで形成されることを特徴とする。
【００１５】
これによれば、第１〜第３面材の全体のデザインを統一することができる。
【００１６】
本考案は、第２面材は、紐部材を密に編んで形成されることを特徴とする。
【００１７】
これによれば、紐部材を密に編むことで第２面材が孔部を含むことなく形成され、その第２面材により室外機の天面をカバーすることで日光を遮ることができる。
【００１８】
本考案は、骨材は、アルミ製のパイプであることを特徴とする。
【００１９】
これによれば、室外機カバーを室外に配置しても錆びることなく、第１〜第３面材を十分な強度で支持することができる。
【００２０】
本考案は、パイプの少なくとも一部に重量部材が充填されることを特徴とする。
【００２１】
これによれば、重量部材の重量により、室外機カバーを安定して設置することができる。
【００２２】
本考案は、骨材は、第２面材に近接して平行に配設される載置部材をさらに含むことを特徴とする。
【００２３】
これによれば、載置部材により第２面材が支持され、その第２面材の上に物品を載置することができる。
【００２４】
本考案は、２つの第３面材の少なくとも一方は、下方に空間を設けて骨材に支持されることを特徴とする。
【００２５】
これによれば、室外機から延びる配管を一方の第３面材の下方の空間を介して配設することができる。
【００２６】
本考案は、骨材の奥行は、室外機の奥行きより長いことを特徴とする。
【００２７】
これによれば、骨材の奥行が室外機の奥行きより長いことで、室外機と第１面材との間に空間が形成され、その空間により室外機周囲の温度上昇を防止することができる。
【考案の効果】
【００２８】
本考案の室外機カバーによれば、排気をあまり遮ることなく、空間デザインに調和したエアコンの室外機カバーが提供される。
【図面の簡単な説明】
【００２９】
【図１】図１は、一実施形態に係る室外機カバー（室外機に設置済み）の構成を示す斜視図である。
【図２】図２は、室外機カバーを構成するカバー（面材）及びカバーを支持する骨材の構成を示す斜視図である。
【図３】図３は、紐部材の編み方のバリエーションを示す図である。
【図４】図４は、孔部の拡張を説明するための図である。
【考案を実施するための形態】
【００３０】
以下、本考案に係る室外機カバーの一実施形態について説明する。
【００３１】
図１に、本実施形態に係る室外機カバー１の構成を、室外機１０に設置済みの状態において示す。なお、室外機１０のサイズは、一例として、高さ６５ｃｍ、幅７５ｃｍ、及び奥行き３２ｃｍとする。室外機カバー１は、骨材３及びカバー２から構成される。図２に、室外機カバー１を骨材３とカバー２とに分解して、これらの構成の詳細を示す。
【００３２】
骨材３は、カバー２を支持する部材であり、４つの脚部３ａ（図２において１つの脚部は室外機１０の背面に位置する）、各２つの梁部３ｂ，３ｃ，３ｅ、１つの梁部３ｄ、及び載置部材３ｆを含んで構成される。これら構成各部は、一例として、アルミ製或いはステンレス製の矩形筒形状の中空パイプである。それにより、室外機カバー１を室外に配置しても錆びることなく、カバー２を十分な強度で支持することができる。
【００３３】
４つの脚部３ａは、室外機１０の高さより長く、一例として８０ｃｍである。４つの脚部３ａは、室外機１０が設置される地表面上に垂直に立設される。４つの脚部３ａのうちの２つは室外機１０の前面側に、室外機１０の横幅より長い距離隔てて室外機の左右に配置される。残りの２つの脚部３ａは室外機１０の背面側に、前面側の２つの脚部３ａの離間距離に等しい距離隔てて室外機１０の左右に配置される。
【００３４】
２つの梁部３ｂは、室外機１０の幅より長く、一例として１００ｃｍである。一方の梁部３ｂが前面側の２つの脚部３ａの先端の間に、他方の梁部３ｂが背面側の２つの脚部３ａの先端の間に、固定されている。２つの梁部３ｃは、室外機１０の奥行きより長く、一例として４２ｃｍである。一方の梁部３ｃが左側の２つの脚部３ａの先端の間に、他方の梁部３ｃが右側の２つの脚部３ａの先端の間に、固定されている。２つの梁部３ｅは、梁部３ｃと同じ長さを有する。一方の梁部３ｅが左側の２つの脚部３ａの中央若干下の間に、他方の梁部３ｅが右側の２つの脚部３ａの中央若干下の間に、固定されている。１つの梁部３ｄは、２つの梁部３ｂと同じ長さを有し、前面側の２つの脚部３ａの下端若干上の間に固定されている。梁部３ｂ，３ｃ，３ｅ，３ｄにより脚部３ａを支持することで、骨材３全体が強固に構成される。
【００３５】
載置部材３ｆは、骨材３の幅方向を長手とする中空パイプを奥行き方向に複数（ここでは９）配列して平板状に成形され、２つの梁部３ｂの間に複数の支持部材（不図示）を用いて支持されている。載置部材３ｆの上面は、２つの梁部３ｂの上面に平行である。後述するように、カバー２を骨材３に固定すると、カバー２を構成する第２面材２ｂが載置部材３ｆに近接して平行に支持される。それにより、第２面材２ｂ（載置部材３ｆ）の上に、鉢植え等、空間をデザインする物品を載置することができる。
【００３６】
載置部材３ｆを構成する複数の中空パイプには、コンクリート等の重量部材が充填されている。重量部材の重量により、骨材３（すなわち室外機カバー１）を安定して地表面上に設置することができる。なお、複数の中空パイプのすべてに限らず一部のパイプ、パイプ内部の全体に限らず一部に重量部材を充填することとしてもよい。また、４つの脚部３ａ、各２つの梁部３ｂ，３ｃ，３ｅ、１つの梁部３ｄの少なくとも一部に重量部材を充填することとしてもよい。ここで、多数のパイプから構成される載置部材３ｆは、重量部材を充填して室外機カバーの重量を増加させる上で好適である。
【００３７】
カバー２は、室外機１０をカバーして直射日光から保護する機能を有し、第１面材２ａ、第２面材２ｂ、２つの第３面材２ｃから構成される。
【００３８】
第１面材２ａは、骨材３の横幅より若干小さい横幅及び梁部３ｂ，３ｄの間隔より若干小さい縦幅の矩形状を有し、骨材３の前面に固定されて室外機１０の前面をカバーする（図１参照）。第１面材２ａは、一例として、幅１ｃｍ程度のビニル製の紐部材を四つ目編み（菱四つ目編み）状に編むことで形成される。ここで、特に高密度ポリエチレンから成形される紐部材を用いることで、十分な強度を得ることができる。なお、紐部材の編み方は、複数の孔部を有する一面状の面材に形成することができれば、四つ目編みに限らず、任意の編み方を採用することができる。
【００３９】
ここで、隣接する紐部材は、一例として互いに１ｃｍ程度の距離隔てられている。それにより、第１面材２ａに１ｃｍ四方の複数の孔部が設けられ、室外機１０の排気が確保される。また、ビニル製の紐部材を用いることで、複数の紐部材が適度の摩擦で互いに接触することとなるため、排気の熱で紐部材が熱膨張することで複数の孔部が拡がり、室外機１０の排気がさらに確保される利点がある。なお、第１面材２ａの全面に限らず、室外機１０の排気口１０ａの少なくとも一部に対向する領域のみに複数の孔部を形成してもよい。
【００４０】
第２面材２ｂは、骨材３の横幅より若干小さい横幅及び骨材３の奥行きにほぼ等しい奥行きの矩形状を有し、骨材３の上面に固定されて室外機１０の天面をカバーする。第２面材２ｂは、第１面材２ａと同様に、ビニル製の紐部材を四つ目編み（菱四つ目編み）状に編むことで形成される。ただし、隣接する紐部材の間に間隙を設けることなく密に編むことで、第２面材２ｂは孔部のない一面状に形成される。それにより、第２面材２ｂにより室外機１０の天面をカバーすることで直射日光を遮ることができる。なお、紐部材の編み方は、四つ目編みに限らず、六つ目編み、八つ目編み等、任意の編み方を採用することができる。
【００４１】
２つの第３面材２ｃは、骨材３の奥行きにほぼ等しい奥行き及び梁部３ｃ，３ｅの間隔に等しい縦幅の矩形状を有し、骨材３の２つの側面にそれぞれ固定されて室外機１０の側面をカバーする。第３面材２ｃは、第２面材２ａと同様に、ビニル製の紐部材を四つ目編み（菱四つ目編み）状に編むことで孔部を設けることなく形成される。なお、通気を確保するために、第１面材２ａと同様に複数の孔部を設けて形成してある。また、第３面材２ｃは地面に達しておらず下方に空間が設けられている。室外機カバー１の側方を通してパイプ１１を配管することができる。
【００４２】
第１〜第３面材２ａ〜２ｃは、同じ素材の紐部材を同じ編み方で編んで形成することでカバー２全体のデザインを統一してもよいし、同じ素材の紐部材を異なる編み方でそれぞれ形成することでカバー２全体のデザインのバリエーションを設けてもよい。
【００４３】
カバー２は、第２面材２ｂの前辺を第１面材２ａの上辺に、第３面材２ｃの前辺を第１面材２ａの側辺に、第３面材２ｃの上辺を第２面材２ｂの側辺に、それぞれ固定することで、背面及び底面が開いた略かご状に組み立てられる。なお、第１〜第３面材２ａ〜２ｃは、カバー２の形状に一体成形してもよい。
【００４４】
上述のように構成されたカバー２を、図２に黒塗り矢印の方向に、骨材３に嵌め込む。カバー２は横幅について骨材３より若干小さいため、第１面材２ａは幅方向に引張力を加えられて骨材３に固定される。また、第１面材２ａの下端を梁部３ｄに固定する。カバー２（第１面材２ａ）は、縦幅について梁部３ｂ，３ｄの間隔より若干小さいため、第１面材２ａはさらに縦方向（カバー２の高さ方向）に引張力を加えられて骨材３に固定される。それにより、室外機１０の使用時において、その排気熱及び／日光熱により第１面材２ａを形成する紐部材が膨張し、複数の孔部が広がることで、排気が確保される。
【００４５】
室外機カバー１は、前面側から室外機１０に覆い被せるように設置することで、簡易に設置することができる（図１参照）。ここで、２つの第３面材２ｃは、下方に空間を設けて骨材３に固定されている。それにより、室外機１０から延びる配管（不図示）をその空間を介して室外機カバー１外に配設することができる。また、室外機カバー１（骨材３）の奥行きは、室外機１０の奥行きより長い。そこで、室外機１０から第１面材２ａを離間して室外機カバー１を設置する。それにより、室外機１０及び第１面材２ａの間に空間が形成され、その空間により室外機１０の周囲の温度上昇を防止することができる。
【００４６】
図３に紐部材の編み方のバリエーションを示す。図１及び図２においては、（Ａ）に示す四つ目編みであった。この他、（Ｂ）に示す八つ目編みとしてもよい。八角形の孔部を大きくすることもできる。また、（Ｃ）に示すようにランダムに編んでもよい。任意の編み方を採用することができる。
【００４７】
紐部材（第１面材２ａ）は、日光熱により、又は室外機の排気による排気熱により、膨張して孔部が拡張する。室外が高温でエアコンが強く働いているときほど孔部が拡大して排気が室外機カバー１の外に出やすくなる。
【００４８】
特に、室外機の排気による排気熱を受ける部分は他の部分よりも紐部材が高温となり、より多く膨張する。また、紐部材に加えられる引張力により、されに孔部が拡張する。図４を用いて孔部の拡張を説明する。図は四つ目編みの紐部材を示すが、他の編み方でも同様である。
【００４９】
（Ａ）に示すように、紐部材の帯４ａ１及び４ａ２は左右方向に、４ｂ１及び４ｂ２は上下方向に、引張されている。帯の交点４ｃにおいては、帯が編まれていることと引張力により、帯４ａ１又は４ａ２と、４ｂ１又は４ｂ２とは相互に押し付けられている。
【００５０】
この状態で図において点線で示した円の箇所に室外機の排気による排気熱を受けたとする。実際は多数の網目に排気熱が作用するが、１つの網目のみとして説明する。多数の網目に排気熱が作用する場合も同様である。
【００５１】
ビニル製の紐部材は、高温になると、弾性率が低下し（排気熱が空気よりも２０度程度高温であるとすると、１０％以上の低下がある。）、引張力によって伸びやすくなる。引張力は紐部材全体に対して均一であるので、高温となった箇所の紐部材は、他の箇所と比較して、弾性率に反比例して伸長する。（Ｂ）に示すように、網目の１辺が長くなる。
【００５２】
ここで、帯の交点４ｃにおいて相互に押し付けられている２つの帯が、押し付けられる力に基づく静止摩擦によって交点４ｃが外れない状態であれば（静止摩擦力よりも小さな引張力であれば）、（Ｂ）に示すように孔部を構成する矩形の辺が長くなった状態となる。なお、図は、理解容易化のために実際よりも大きく伸長させて描いたものである。
【００５３】
以上詳細に説明したように、本実施形態の室外機カバー１は、室外機１０の前面をカバーし、室外機１０の排気口１０ａに対向する領域に複数の孔部が設けられた第１面材２ａ、室外機１０の天面をカバーする第２面材２ｂ、室外機１０の２つの側面をそれぞれカバーする２つの第３面材２ｃ、及び第１〜第３面材２ａ〜２ｃを支持する骨材３から構成される。第１面材２ａにより室外機１０の前面をカバーすることで、室外機１０からの排気が第１面材２ａに設けられた複数の孔部を介して排出されるため、室外機カバー１を用いることで排気を遮ることなく室外機１０をカバーして直射日光から保護することができる。
【００５４】
なお、本実施形態における室外機１０のサイズは一例であり、室外機カバー１のサイズも室外機１０のサイズに応じて適宜定めることができる。
【産業上の利用可能性】
【００５５】
本考案の室外機カバーは、排気を遮ることなく、エアコンの室外機をカバーするのに好適である。
【符号の説明】
【００５６】
１    室外機カバー
２    カバー
２ａ  第１面材
２ｂ  第２面材
２ｃ  第３面材
３    骨材
３ａ  脚部
３ｂ  梁部
３ｃ  梁部
３ｄ  梁部
３ｅ  梁部
３ｆ  載置部材
１０    室外機
１０ａ  排気口
１１    パイプ
【図１】
0003195323.tif 000003
【図２】
0003195323.tif 000004
【図３】
0003195323.tif 000005
【図４】
0003195323.tif 000006